(57)【特許請求の範囲】
【請求項１】
床面に締結されるガイドベース（２０）と、ガイドベース（２０）で前後スライド自在に案内されるスライドベース（２１）と、スライドベース（２１）の上面に固定される振止め体（２２）とを備えており、
ガイドベース（２０）は、振止め体（２２）の前後移動を許す調整溝（２８）を備えたガイド壁（２４）と、ガイド壁（２４）の一側に設けた締結座（２６）と、ガイド壁（２４）の他側に設けたクランプ片（２７）と、クランプ片（２７）の突端のビス座（３２）に形成されるビス挿通穴（３３）とを備えており、
スライドベース（２１）は、ガイドベース（２０）のガイド壁（２４）の下面に配置されて、ガイドベース（２０）と床面で前後スライド可能に案内されており、
前記締結座（２６）と対向するスライドベース（２１）のベース面には、前後方向の長穴からなるビス長穴（３９）が形成されており、
ビス（５０）をビス挿通穴（３３）とビス長穴（３９）を介して床面にねじ込んだ状態において、ガイドベース（２０）のガイド壁（２４）とクランプ片（２７）とがスライドベース（２１）に密着して、スライドベース（２１）を前後動不能に固定しており、
ガイドベース（２０）のクランプ片（２７）が上突状に形成されて、その突端にビス座（３２）が形成されており、
ビス（５０）で締結する前のクランプ片（２７）の突端（３２ａ）は、それぞれスライドベース（２１）の上面から浮き離れており、
ビス（５０）を床面にねじ込んだ状態においてクランプ片（２７）が弾性変形して、その突端（３２ａ）がスライドベース（２１）に密着し、スライドベース（２１）を前後動不能に押圧固定している吊戸用の振れ止め構造。
【請求項２】
クランプ片（２７）が、ガイド壁（２４）に連続して上り傾斜する基端壁（３１）と、基端壁（３１）に連続して下り傾斜するビス座（３２）とで逆Ｖ字状に形成されており、
ビス挿通穴（３３）に挿通したビス（５０）の操作頭部を締結工具（Ｔ）で斜め上方から締緩操作できる請求項１に記載の吊戸用の振れ止め構造。
【請求項３】
スライドベース（２１）は、振止め体（２２）を支持するベース主壁（３５）と、ベース主壁（３５）の一側に突設されるスライド片（３６）と、ベース主壁（３５）の他側に設けられる摺動座（３７）とを一体に備えていて、摺動座（３７）の近傍に前後方向のビス長穴（３９）が形成されており、
スライド片（３６）をガイドベース（２０）に設けたスライド溝（２９）の周縁壁で支持し、同時に床面で摺動座（３７）を支持して、スライドベース（２１）がガイドベース（２０）と床面とで前後スライド自在に案内支持されている請求項１または２に記載の吊戸用の振れ止め構造。
【請求項４】
振止め体（２２）が、戸パネル（１）の振止め溝（５ａ）を移行案内する振止めローラー（４２）と、振止めローラー（４２）を回転自在に軸支するローラー軸（４３）とで構成されており、
ローラー軸（４３）は、調整溝（２８）で前後スライドのみ自在に支持される調整軸部（４６）と、調整軸部（４６）の上下に設けられるフランジ部（４５）およびかしめ軸部（４７）とを備えており、
ガイド壁（２４）の下面に配置したスライドベース（２１）にかしめ軸部（４７）を係合し、同軸部（４７）の軸端をかしめ処理して、ガイドベース（２０）とスライドベース（２１）と振止め体（２２）の３者が分離不能に一体化してある請求項１から３のいずれかひとつに記載の吊戸用の振れ止め構造。  
【発明の詳細な説明】
【技術分野】
【０００１】
本発明は、戸パネルの上部に設けたランナーが、開口枠に設けたガイドレールで開閉移動可能に案内支持してある吊戸用の振れ止め構造に関する。本発明に係る振れ止め構造は、戸パネルの下部を移行案内する振れ止め体と、その前後位置を調整するための調整構造を備えており、引戸、折戸などの吊戸に適用される。
【背景技術】
【０００２】
振止めローラーの調整構造を備えている振れ止め構造は、例えば特許文献１に公知である。そこでは、床面に固定されるコ字枠状のベースと、ベースで支持されるコ字枠状のブラケットと、ブラケットで回転自在に軸支されるローラーと、ローラーの前後位置を調整する調整構造などで振止め構造を構成している。ベースの一側の起立壁には横向きの支点ピンが固定してあり、この支点ピンでブラケットの一側の垂下壁を前後動可能に支持している。また、ベースの他側の起立壁にはねじ穴が形成してあり、ブラケットの他側の垂下壁に前後方向の長穴が形成してある。ブラケットの前後位置を戸パネルの吊持位置に対応して調整したのち、ボルトを長穴を介してねじ穴にねじ込んでブラケットをベースに締結することにより、位置調整されたローラーの前後位置を固定できる。
【０００３】
本発明に係る振止め構造に関して、特許文献２のガイド金具が公知である。そこでは、床面に締結される取付座板と、取付座板で前後動可能に支持される基板と、基板上に立設される軸状のガイドなどでガイド金具を構成している。取付座板には、前後方向の長穴が形成してあり、基板の板面と、基板から斜めに折起した締結座とのそれぞれに、ビス挿通穴が形成してある。取付座板を戸パネルの吊持位置を目安にして床面に固定したのち、基板の前後位置を戸パネルに対応して調整し、この状態で締結座および基板の板面のビス挿通穴の挿通したビスを、取付座板の長穴を介して床面にねじ込むことにより、位置調整された取付座板およびガイドの前後位置を固定できる。
【先行技術文献】
【特許文献】
【０００４】
【特許文献１】特開２００３−２９３６５７号公報（段落番号００２３、図８〜図１１）
【特許文献２】実開平０３−０２３５８３号公報（第７頁第１〜１９行、第１図）
【発明の概要】
【発明が解決しようとする課題】
【０００５】
特許文献１の振止め構造によれば、ブラケットの前後位置を戸パネルのガイド溝に対応して調整することによりローラー位置を適正化できる。しかし、ブラケットをベースの一側に固定した支点ピンの回りに前後傾動させてローラー位置を調整するので、戸パネルに前後方向の外力が作用するとき、ローラーに前後方向の傾動モーメントが作用するのを避けられず、ローラー位置が前後にずれるおそれがある。
【０００６】
その点特許文献２の振止め構造では、軸状のガイドの近くに位置する締結座をビス（木ねじ）で床面に締結するので、戸パネルに前後方向の外力が作用する場合でも、ガイドおよび基板の位置が前後にずれるのをよく防止できる。しかし、基板の前後方向の位置調整を行なったのち、その締結座に挿通したビスを、取付座板の長穴を介して床面にねじ込んで基板を固定するので、一旦、ビスを床面にねじ込んでしまうと、基板の位置を再び調整するのが困難となる。これは、床面にねじ込んだビスを取外して基板の位置を微調整したとしても、床面に既にねじ込み穴が形成されているため、位置調整後にねじ込まれたビスがねじ込み穴の側へずれてしまい、基板およびガイドを微調整された適正な位置に固定できないからである。そのため、吊戸の施工時に、振止め構造を誤った位置に締結してしまった場合や、長期使用時に戸パネルのそり変形に対応してガイドの位置を再調整したい場合などに、ガイドを適正な位置に固定するのが困難となる。また、締結座が基板から片持ち梁状に折起し形成してあるため、締結座の強度が充分ではなく、そのため、電動ドライバーなどの締結トルクが大きな工具でビスをねじ込む場合に締結座が折曲げられてしまうおそれがある。
【０００７】
本発明の目的は、振止め体の位置調整をより簡便に、しかも繰り返し何度でも行なうことができ、従って施工時はもちろん、戸パネルがそり変形するような場合にも、振止め体の位置を再調整して戸パネルを適正に移行案内できる吊戸用の振れ止め構造を提供することにある。
本発明の目的は、位置調整された振止め体を強固に固定保持して、戸パネルに作用する前後方向の外力を受けて振止め体が位置ずれするのを解消でき、従って長期にわたって戸パネルを適正に移行案内できる締結強度に優れた吊戸用の振止め構造を提供することにある。
【課題を解決するための手段】
【０００８】
本発明に係る吊戸用の振れ止め構造は、床面に締結されるガイドベース２０と、ガイドベース２０で前後スライド自在に案内される調整ベース２１と、調整ベース２１の上面に固定される振止め体２２とを備えている。図４に示すように、ガイドベース２０は、振止め体２２の前後移動を許す調整溝２８を備えたガイド壁２４と、ガイド壁２４の一側に設けた締結座２６と、ガイド壁２４の他側に設けたクランプ片２７と、クランプ片２７の突端のビス座３２に形成されるビス挿通穴３３とを備えている。調整ベース２１は、ガイドベース２０のガイド壁２４の下面に配置されて、ガイドベース２０と床面で前後スライド可能に案内される。締結座２６と対向する調整ベース２１のベース面には、前後方向の長穴からなるビス長穴３９を形成する。図１に示すように、ビス５０をビス挿通穴３３とビス長穴３９を介して床面にねじ込んだ状態において、ガイドベース２０のガイド壁２４とクランプ片２７とが調整ベース２１に密着して、調整ベース２１を前後動不能に固定する。
【０００９】
ガイドベース２０のクランプ片２７は上突状に形成されて、その突端にビス座３２が形成してある。ビス５０で締結する前のクランプ片２７の突端３２ａは、それぞれ調整ベース２１の上面から浮き離れている。ビス５０を床面にねじ込んだ状態においてクランプ片２７が弾性変形して、その突端３２ａが調整ベース２１に密着し、調整ベース２１を前後動不能に押圧固定する。
【００１０】
図１に示すように、クランプ片２７は、ガイド壁２４に連続して上り傾斜する基端壁３１と、基端壁３１に連続して下り傾斜するビス座３２とで逆Ｖ字状に形成する。これにより、ビス挿通穴３３に挿通したビス５０の操作頭部を締結工具Ｔで斜め上方から締緩操作できるようにする。
【００１１】
調整ベース２１は、振止め体２２を支持するベース主壁３５と、ベース主壁３５の一側に突設されるスライド片３６と、ベース主壁３５の他側に設けられる摺動座３７とを一体に備えていて、摺動座３７の近傍に前後方向のビス長穴３９が形成してある。スライド片３６をガイドベース２０に設けたスライド溝２９の周縁壁で支持し、同時に床面で摺動座３７を支持する。これにより調整ベース２１をガイドベース２０と床面とで前後スライド自在に案内支持する。
【００１２】
振止め体２２は、戸パネル１の振止め溝５ａを移行案内する振止めローラー４２と、振止めローラー４２を回転自在に軸支するローラー軸４３とで構成する。ローラー軸４３は、調整溝２８で前後スライドのみ自在に支持される調整軸部４６と、調整軸部４６の上下に設けられるフランジ部４５およびかしめ軸部４７とを備えている。ガイド壁２４の下面に配置した調整ベース２１にかしめ軸部４７を係合し、同軸部４７の軸端をかしめ処理して、ガイドベース２０と調整ベース２１と振止め体２２の３者を分離不能に一体化する。
【発明の効果】
【００１３】
本発明においては、床面に締結されるガイドベース２０と、調整ベース２１と、調整ベース２１の上面に固定される振止め体２２とで振れ止め構造を構成し、使用状態における調整ベース２１が、ガイドベース２０と床面で前後スライド可能に案内されるようにした。また、床面に締結したガイドベース２０のクランプ片２７をビス５０で締結することにより、ガイド壁２４とクランプ片２７とを調整ベース２１に密着させて、調整ベース２１を前後動不能に固定できるようにした。このように、調整ベース２１をガイド壁２４とクランプ片２７とで押圧固定すると、調整ベース２１の調整位置の違いに応じてビス５０の締結位置が変動するのを解消して、ビス５０の床面に対する締結位置を固定化できる。そのため、振止め体２２の位置調整を行なう場合には、ビス５０を緩めてガイド壁２４およびクランプ片２７による拘束を解除した状態で、調整ベース２１を調整移動して再びビス５０をねじ込み操作すればよい。従って、本発明に係る振れ止め構造によれば、振止め体２２の位置調整をより簡便に、しかも繰り返し何度でも行なうことができ、施工時はもちろん、戸パネル１がそり変形するような場合にも、振止め体２２の位置を再調整して戸パネル１を常に適正に移行案内できる。
【００１４】
ビス５０を床面にねじ込んだ状態において、上突状に形成したクランプ片２７の突端３２ａを調整ベース２１に密着させて、同ベース２１を前後動不能に押圧固定すると、調整ベース２１をクランプ片２７でさらに確実に押圧できる。ビス５０の締結力を受けてクランプ片２７が調整ベース２１に接当する場合には、突端３２ａが他の部位に先行して調整ベース２１に接当し、さらに、クランプ片２７がビス５０で調整ベース２１に接近する向きへ押圧されて、同ベース２１を床面に対して強固に押圧し密着させるからである。また、ビス５０を床面にねじ込んだ状態では、クランプ片２７が弾性変形して、その変形応力がビス５０に常に作用するので、クランプ片２７の変形応力を利用してビス５０を緩止めできる。
【００１５】
上り傾斜する基端壁３１と、下り傾斜するビス座３２とでクランプ片２７を逆Ｖ字状に形成すると、床面にねじ込まれるビス５０を、下り傾斜するビス座３２と概ね直交する向きに指向させることができる。従って、ビス座３２に挿通したビス５０を床面にねじ込む場合に、戸パネル１をガイドレール３から取り外す必要もなく、ビス５０の操作頭部を締結工具Ｔで斜め上方から容易にしかも的確に締緩操作できる。また、基端壁３１とビス座３２とで逆Ｖ字状に形成したクランプ片２７によれば、クランプ片２７の基端３１ａおよび突端３２ａが調整ベース２１で三角形状に受止められるので、クランプ片２７の構造強度を向上できる。従って、電動ドライバーなどの締結トルクが大きな工具でビス５０を床面にねじ込むような場合であっても、ビス座３２が折曲げられるのを解消できる。また、ビス５０の締結力を調整ベース２１に対して効果的に作用させて、位置調整された振止め体２２を強固に固定保持できるので、戸パネル１に作用する前後方向の外力を受けて振止め体２２が位置ずれするのをさらに確実に防止し、長期にわたって戸パネル１を適正に移行案内できる。
【００１６】
調整ベース２１のスライド片３６をガイドベース２０のスライド溝２９の周縁壁で支持し、さらに調整ベース２１の摺動座３７を床面で支持すると、調整ベース２１を常に安定した状態で前後スライド自在に案内支持できる。床面を利用して調整ベース２１をスライド案内するので、調整ベース２１とガイドベース２０との間のスライド構造を簡素化して、両ベース２０・２１の製造に要するコストを削減できる。また、調整ベース２１の摺動座３７をクランプ片２７で床面に押圧し密着させるので、摺動座３７と床面との間の摩擦抵抗によって調整ベース２１の前後動をさらに的確に規制できる。さらに、ガイドベース２０と調整ベース２１の合計厚みを小さくして調整構造を薄形化できる。
【００１７】
ガイド壁２４の下面に配置した調整ベース２１にかしめ軸部４７の軸端をかしめ処理して、ガイドベース２０と調整ベース２１と振止め体２２の３者を分離不能に一体化すると、ビス４９・５０を除く振止め構造を１個のユニット部品としてまとめることができる。従って、施工現場ではユニット部品化された振止め構造を位置決めし、ビス４９・５０で締結するだけでよく、施工の手間を大幅に省くことができる。また、ガイドベース２０と調整ベース２１と振止め体２２が分離不能に一体化してあるので、例えば、サイズが異なる複数種の振止め構造の構成部品が混じりあうことがなく、出荷時あるいは保管時の管理を容易化できる。
【図面の簡単な説明】
【００１８】
【図１】本発明に係る振止め構造の縦断正面図である。
【図２】本発明に係る振止め構造の適用例を示す引戸の正面図である。
【図３】本発明に係る引戸の縦断側面図である。
【図４】本発明に係る振止め構造の分解斜視図である。
【図５】図１におけるＡ−Ａ線断面図である。
【図６】図１におけるＢ−Ｂ線断面図である。
【発明を実施するための形態】
【００１９】
（実施例）  図１ないし図６は本発明に係る振止め構造を引戸に適用した実施例を示している。なお、本発明における前後、左右、上下とは、図２および図３に示す交差矢印と、各矢印の近傍に表記した前後、左右、上下の表示に従う。
【００２０】
図２において、戸パネル１は、開口部２の上壁にビス１２で固定したガイドレール３でスライド開閉自在に移行案内されている。戸パネル１の左右の上隅には、ガイドレール３で走行案内されるランナー４が組付けてある。戸パネル１の下面には、振止めレール５が埋設してあり、この振止めレール５の振止め溝５ａを床面に固定した振止め構造で移行案内して、開閉時の戸パネル１が前後に揺れ動くのを規制している。戸パネル１の閉じ端側の壁面の前後面には、それぞれ戸パネル１を開閉するための把手８が装着されており、前側の把手８に図示していない錠止構造を切換え操作する操作ノブ９が上下スライド可能に組付けてある。図３に示すように、アルミニウム条材で形成したガイドレール３の下部には、ランナー４のランナーローラー４ａを支持する前後一対のレール壁３ａが設けてある。
【００２１】
図４において振れ止め構造は、床面に締結されるガイドベース２０と、ガイドベース２０で前後スライド自在に案内される調整ベース２１と、調整ベース２１の上面に固定される振止め体２２とで構成する。ガイドベース２０、および調整ベース２１は、それぞれ鋼板をプレス成形して形成してある。
【００２２】
ガイドベース２０は、長方形状のガイド壁２４と、ガイド壁２４の一側縁に連続して下向きに折曲げられる段部壁２５と、段部壁２５に連続して横向きに折曲げられる締結座２６と、ガイド壁２４の他側縁の前後中央に折曲げられるクランプ片２７を一体に備えている。ガイド壁２４の中央には、振止め体２２の前後移動を許す前後方向に長い調整溝２８が形成してあり、段部壁２５には後述するスライド片３６の前後移動を許すスライド溝２９が形成してある。また、締結座２６の前後２個所にはビス穴３０が形成してある。クランプ片２７は、ガイド壁２４に連続して上り傾斜する基端壁３１と、基端壁３１に連続して下り傾斜するビス座３２とで逆Ｖ字状に形成してあり、ビス座３２には丸穴状のビス挿通穴３３が形成してある。締結座２６の下面から、クランプ片２７の頂部までの上下高さは５ｍｍである。
【００２３】
調整ベース２１は、振止め体２２を支持するベース主壁３５と、ベース主壁３５の一側の前後中央に突設されるスライド片３６と、ベース主壁３５の他側に設けられる摺動座３７を一体に備えている。ベース主壁３５には、振止め体２２をかしめ固定するための連結穴３８が形成してある。摺動座３７は、ベース主壁３５から段落ちする状態で折曲げ形成してあり、この段落ち部を挟むベース主壁３５と摺動座３７との間に長方形状のビス長穴３９が形成してある。
【００２４】
振止め体２２は、先の振止めレール５を移行案内するプラスチック製の振止めローラー４２と、振止めローラー４２を回転自在に軸支するローラー軸４３とで構成する。ローラー軸４３は、上側から順に、振止めローラー４２を支持する上軸部４４と、フランジ部４５と、先の調整溝２８で前後スライドのみ自在に支持される調整軸部４６と、調整軸部４６の下部に設けられるかしめ軸部４７を一体に備えている。振止めローラー４２と平座金を上軸部４４に外嵌し、上軸部４４の上端をかしめ処理することにより、振止めローラー４２がローラー軸４３と一体化されて回転自在に支持される。
【００２５】
ガイドベース２０と調整ベース２１と振止め体２２の３者は、調整ベース２１をガイドベース２０の下面に配置して、そのスライド片３６がスライド溝２９と係合する状態で一体化されてユニット部品化してある。詳しくは、図１に示すように、ローラー軸４３の調整軸部４６をガイド壁２４の調整溝２８に係合し、さらに、かしめ軸部４７を連結穴３８に係合して軸端をかしめ処理することにより、先の３者が分離不能に一体化してある。この状態の調整ベース２１と振止め体２２とは、調整溝２８の範囲内で前後に相対スライドできる。しかし、調整軸部４６が調整溝２８で受止められているため、調整ベース２１と振止め体２２が調整溝２８の余裕隙間を越えて左右に相対スライドすることはない。
【００２６】
振止め構造は、以下のように床面に固定したのち、振止めローラー４２の中心位置を調整する。まず、振止め構造の締結すべき前後位置をガイドレール３を基準にして決定し、さらに振止め構造の締結すべき左右位置を戸パネル１の幅寸法を基準にして決定する。決定された床面上の締結位置に、ユニット部品化された振止め構造を調整ベース２１が下面に位置する状態で載置し、ガイドベース２０の締結座２６を位置決めする。この状態で、前後のビス穴３０を介して第１ビス（ビス）４９を床面にねじ込んでガイドベース２０を固定する。次に、振止めローラー４２が、概ねガイドベース２０の前後中心に位置するように調整ベース２１の前後位置を調整したのち、クランプ片２７のビス挿通穴３３に挿通した第２ビス（ビス）５０をビス長穴３９を介して床面にねじ込む。このときの第２ビス５０はねじ込み途中位置までねじ込んでおく。
【００２７】
上記のように、第２ビス５０をねじ込み途中位置までねじ込んだときの調整ベース２１は、そのスライド片３６がスライド溝２９に臨む締結座２６（スライド溝２９の周縁壁）で支持され、さらに摺動座３７が床面で支持されている。つまり、調整ベース２１は、ガイドベース２０と床面で前後スライド可能に案内されて、前後方向へ遊動できる状態になっている。また、ガイドベース２０のガイド壁２４とクランプ片２７の基端３１ａおよび突端３２ａは、調整ベース２１のベース主壁３５の上面から浮き離れている。
【００２８】
振止め構造を床面に仮固定したのち、戸パネル１をガイドレール３に吊込んで、その振止めレール５を振止めローラー４２に係合する。先に説明したように、この状態の調整ベース２１は前後方向へ遊動できる状態になっている。そのため、垂直姿勢に保持した状態で戸パネル１を数回開閉操作すると、調整ベース２１が振止めレール５で前後方向のずれを吸収する向きに移動操作されるため、振止めローラー４２の中心位置をガイドレール３の中心位置と一致させることができる。このように、振止めローラー４２が戸パネル１で位置決めされたのち、調整ベース２１を保持固定した状態で、第２ビス５０を最後までねじ込むことにより調整ベース２１を前後動不能に固定する。このとき、ビス座３２が傾斜させてあるので、図１に示すように、振止めレール５の振止め溝５ａ内に差込んだ電動あるいは手動のドライバー（締結工具）Ｔで、第２ビス５０の操作頭部を斜め上方から容易にねじ込み操作することができる。
【００２９】
第２ビス５０を床面にねじ込むのに伴って、クランプ片２７が床面側へ引寄せられて弾性変形し、ガイド壁２４がベース主壁３５の上面に密着する。さらに、クランプ片２７の基端３１ａがベース主壁３５の上面に密着し、クランプ片２７の突端３２ａが摺動座３７の上面に密着して、調整ベース２１を床面側へ押圧する。その結果、調整ベース２１は、そのスライド片３６が締結座２６に密着し、摺動座３７が床面と密着する状態で、ガイドベース２０で前後動不能に押圧固定される。この状態の摺動座３７と床面との間には大きな摩擦抵抗が生じるので、外力を受けて調整ベース２１が前後に移動するのを確実に防止できる。
【００３０】
振止めローラー４２が振止め溝５ａに対して片当りしている場合、あるいは、戸パネル１がそり変形した場合などには、第２ビス５０を緩めてクランプ片２７による調整ベース２１の拘束状態を解除する。このとき、第２ビス５０を床面から取外す必要はなく、操作頭部がビス座３２から僅かに離れる程度に、第２ビス５０を緩めればよい。第２ビス５０を緩めた状態の調整ベース２１は前後方向へ遊動可能となるので、施工時と同様に戸パネル１を数回開閉操作することで調整ベース２１を前後移動させて、振止めローラー４２の中心位置を振止め溝５ａの中心位置と一致させることができる。
【００３１】
例えば、調整ベース２１が床面に膠着して戸パネル１の開閉動作に追随して前後移動しにくいような場合には、調整ベース２１を工具で軽く叩くなどにより調整操作して、振止めローラー４２の中心位置を振止め溝５ａの中心位置と一致させる。最後に、第２ビス５０を再び最後までねじ込むことにより、調整ベース２１を前後動不能に固定できる。なお、この実施例における調整ベース２１および振止めローラー４２は、前後中央から前または後へ２ｍｍずつ調整できる。
【００３２】
上記構成の振止め構造においては、床面に締結したガイドベース２０のクランプ片２７をビス５０で締結して、位置調整された調整ベース２１をガイド壁２４とクランプ片２７とで押圧固定する。そのため、調整ベース２１の調整位置の違いに応じてビス５０の締結位置が変動することはなく、床面に対するビス５０の締結位置を固定化できる。従って、振止め体２２の位置調整を行なう場合には、ビス５０を緩めてガイド壁２４およびクランプ片２７による拘束を解除した状態で、調整ベース２１を調整移動して再びビス５０をねじ込んで固定すればよく、振止め体２２の位置調整をより簡便に、しかも繰り返し何度でも行なうことができる。これに伴い、施工時はもちろん、戸パネル１がそり変形したような場合にも、振止め体２２の位置を再調整して戸パネル１を常に適正に移行案内できる。
【００３３】
上記の実施例では、クランプ片２７を逆Ｖ字状に形成したが、その必要はない。クランプ片２７は、例えば上突湾曲状や、垂直の立壁と同壁に連続する円弧壁とで４分円状に形成するなど、少なくとも上突状に形成してあればよい。また、上記の実施例ではガイドベース２０および調整ベース２１のそれぞれが、プレス成形品である場合について説明したが、その必要はなく、例えばダイキャスト成形品、あるいは金属板材をインサートしたインサート成形品で形成することができる。必要があれば、ビス座３２の突端３２ａに連続して摺動座３７に接触する折返し壁を形成することができる。調整ベース２１の摺動座３７の下面に摩擦抵抗が大きなゴムシートを固定し、あるいは摺動座３７に床面に突刺さる突起を設けて、位置調整後の調整ベース２１が前後に動くのを阻止することができる。
【００３４】
振止め溝５ａは、振止めレール５を戸パネル１に埋設して形成する必要はなく、戸パネル１に振止め溝５ａを直接凹み形成することができる。振止め体２２は、ローラー構造である必要はなく、ピン状に形成してあってもよい。スライド溝２９は、ガイド壁２４の側に形成することができる。本発明は、実施例で説明した引戸以外に、折戸、あるいは複動式の開閉ドアを構成するスライドドア等の吊戸などに適用することができる。
【符号の説明】
【００３５】
１  戸パネル
５ａ  振止め溝
２０  ガイドベース
２１  スライドベース
２２  振止め体
２４  ガイド壁
２６  締結座
２７  クランプ片
２８  調整溝
２９  スライド溝
３２  ビス座
３３  ビス挿通穴
３５  ベース主壁
３６  スライド片
３７  摺動座
３９  ビス長穴
４２  振止めローラー
４６  調整軸部
５０  ビス（第２ビス）
【図１】
0005912873.tif 000002
【図２】
0005912873.tif 000003
【図３】
0005912873.tif 000004
【図４】
0005912873.tif 000005
【図５】
0005912873.tif 000006
【図６】
0005912873.tif 000007